(57)【特許請求の範囲】
【請求項１】
エレベータの乗場に設けられた乗場操作盤の操作により行先階が指定された際に、複数のエレベータの中から当該行先階に対応した行先呼びを割り当てるエレベータを決定する決定手段と、
前記複数のエレベータの各々のかごに設けられた操作手段と、
前記操作手段が操作された際に、操作された操作手段が設けられたかごに対応したエレベータに前記決定手段により行先呼びが割り当てられていた場合は、当該エレベータを前記決定手段の制御から独立させる前に当該行先呼びに応答させる制御手段と、
を備えたことを特徴とするエレベータの群管理システム。
【請求項２】
前記操作手段が操作された後は、操作された操作手段に対応したエレベータに対する呼びの割り当て及び登録を禁止する禁止手段、
を備えたことを特徴とする請求項１記載のエレベータの群管理システム。
【請求項３】
前記操作手段が操作された際に、当該操作手段が操作された階床を記憶する記憶手段、
を備え、
前記制御手段は、当該エレベータを当該行先呼びに応答させた後、前記記憶手段に記憶されている階床に当該エレベータを走行させることを特徴とする請求項１又は請求項２に記載のエレベータの群管理システム。
【発明の詳細な説明】
【技術分野】
【０００１】
この発明は、エレベータの群管理システムに関するものである。
【背景技術】
【０００２】
エレベータの群管理システムとして、乗場操作盤を備えたものが提案されている。この群管理システムによれば、乗場操作盤で行先階が入力されると、当該行先階に対応した行先呼びを割り当てるエレベータが複数のエレベータの中から選択される。この際、割り当てられたエレベータを示す記号等が乗場操作盤の近傍のディスプレイに表示される。この表示により、乗場操作盤を操作した利用者は、乗車すべきエレベータを確認することができる。
【０００３】
これに対し、所定のスイッチが操作されると、エレベータの呼びが無効となる制御方法が提案されている。この制御方法によれば、エレベータの動作が保守員の予想外となることを防止できる（例えば、特許文献１参照）。
【先行技術文献】
【特許文献】
【０００４】
【特許文献１】実開昭６２−１４７６６９号公報
【０００５】
上記制御方法のスイッチを独立運転スイッチとして上記群管理システムに適用した場合を考える。この場合、独立運転スイッチが操作されると、行先呼びが割り当てられているエレベータが即座に群管理の対象外となることもある。この場合、当該行先呼びは他のエレベータに割り当てられる。
【発明の概要】
【発明が解決しようとする課題】
【０００６】
しかしながら、乗場操作盤を操作した利用者は、乗車すべきエレベータが変更されたことを確認できない。このため、利用者が所望の行先階に走行するエレベータに乗車できない場合もある。
【０００７】
この発明は、上述のような課題を解決するためになされたもので、その目的は、エレベータを群管理から独立させる場合においても、所望の行先階に対応した行先呼びが割り当てられたエレベータに利用者を乗車させることができるエレベータの群管理システムを提供することである。
【課題を解決するための手段】
【０００８】
この発明に係るエレベータの群管理システムは、エレベータの乗場に設けられた乗場操作盤の操作により行先階が指定された際に、複数のエレベータの中から当該行先階に対応した行先呼びを割り当てるエレベータを決定する決定手段と、前記複数のエレベータの各々のかごに設けられた操作手段と、前記操作手段が操作された際に、操作された操作手段が設けられたかごに対応したエレベータに前記決定手段により行先呼びが割り当てられていた場合は、当該エレベータを前記決定手段の制御から独立させる前に当該行先呼びに応答させる制御手段と、を備えたものである。
【発明の効果】
【０００９】
この発明によれば、エレベータを群管理から独立させる場合においても、所望の行先階に対応した行先呼びが割り当てられたエレベータに利用者を乗車させることができる。
【図面の簡単な説明】
【００１０】
【図１】この発明の実施の形態１におけるエレベータの群管理システムを利用したエレベータのシステム構成図である。
【図２】この発明の実施の形態１におけるエレベータの群管理システムを利用したエレベータの乗場操作盤の正面図である。
【図３】この発明の実施の形態１におけるエレベータの群管理システムを利用したエレベータのかご内の正面図である。
【図４】図３の要部拡大図である。
【図５】図４の要部拡大図である。
【図６】この発明の実施の形態１におけるエレベータの群管理システムの動作を説明するためのフローチャートである。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１におけるエレベータの群管理システムを利用したエレベータのシステム構成図である。
【００１３】
図１において、１は乗場操作盤である。乗場操作盤１は、エレベータの各乗場（図示せず）に設けられる。乗場操作盤１には、行先階登録釦１ａ、行先釦検出手段１ｂ、割当号機表示手段１ｃ、ディスプレイ１ｄが設けられる。
【００１４】
２はエレベータの群管理装置である。群管理装置２は、エレベータの昇降路（図示せず）や機械室（図示せず）に設けられる。群管理装置２には、割当号機決定手段２ａが設けられる。
【００１５】
３はエレベータのかごである。かご３は、昇降路内に配置される。かご３には、かご内操作盤３ａが設けられる。かご内操作盤３ａには、行先釦３ｂ、独立運転スイッチ３ｃ等が設けられる。かご３には、行先釦検出手段３ｄ、独立運転スイッチ検出手段３ｅも設けられる。
【００１６】
４はエレベータの制御装置である。制御装置４は、各エレベータに対応して設けられる。制御装置４は、昇降路や機械室に設けられる。制御装置４には、かご動作制御手段４ａが設けられる。かご動作制御手段４ａには、行先階登録手段４ｂ、独立運転スイッチ操作階記憶手段４ｄ、運転モード管理手段４ｃが設けられる。
【００１７】
次に、図２を用いて、乗場操作盤１を具体的に説明する。
図２はこの発明の実施の形態１におけるエレベータの群管理システムを利用したエレベータの乗場操作盤の正面図である。
【００１８】
図２に示すように、行先階登録釦１ａは、乗場操作盤１の下部に設けられる。行先階登録釦１ａは、テンキー釦からなる。ディスプレイ１ｄは、乗場操作盤１の上部に設けられる。ディスプレイ１ｄの左側には、行先階登録釦１ａで指定された行先階が表示される。図２においては、指定された行先階として、「７」が表示される。ディスプレイ１ｄの右側には、当該行先階に対応した行先呼びが割り当てられたエレベータを示す記号が表示される。図２においては、当該記号として、「Ａ」が表示される。
【００１９】
次に、図３〜図５を用いて、かご内操作盤３ａを具体的に説明する。
図３はこの発明の実施の形態１におけるエレベータの群管理システムを利用したエレベータのかご内の正面図である。図４は図３の要部拡大図である。図５は図４の要部拡大図である。
【００２０】
図３に示すように、かご内操作盤３ａは、かご３の出入口の一側近傍に設けられる。図４に示すように、かご内操作盤３ａの中央に、行先釦３ｂが設けられる。かご内操作盤３ａの下部に、引戸３ｆが設けられる。図５に示すように、引戸３ｆ内には、操作手段として、各種スイッチが設けられる。例えば、引戸３ｆ内の上段には、ドアスイッチ、ファンスイッチ、照明スイッチが設けられる。引戸３ｆ内の中段には、各階停止スイッチ、休止スイッチ、自動スイッチが設けられる。引戸３ｆ内の下段には、独立運転スイッチ３ｃ、運転手付スイッチ、非常止スイッチが設けられる。
【００２１】
本実施の形態においては、利用者毎に行先階登録釦１ａで行先階を指定する。この際、行先釦検出手段１ｂは、操作された乗場の階と行先階登録釦１ａの操作内容に対応した行先階とに関する情報を行先呼びとして割当号機決定手段２ａに送信する。割当号機決定手段２ａは、複数のエレベータの中から当該行先呼びを割り当てるエレベータ（号機）を決定する。
【００２２】
その後、割当号機決定手段２ａは、決定した号機に対応した割当号機指令を割当号機表示手段１ｃに送信する。割当号機表示手段１ｃは、当該割当号機指令に基づいて、行先階と割り当てられたエレベータを示す記号とをディスプレイ１ｄに一定時間表示させる。
【００２３】
かご３内で行先釦３ｂが操作されると、行先釦検出手段３ｄは、行先釦３ｂの操作内容に対応した行先階に関する情報を行先階登録手段４ｂに送信する。行先階登録手段４ｂは、当該行先階に対応したかご呼びを登録する。
【００２４】
かご３内で独立運転スイッチ３ｃが操作されると、独立運転スイッチ検出手段３ｅは、独立運転スイッチ３ｃが操作されたことを示す情報を運転モード管理手段４ｃに送信する。運転モード管理手段４ｃは、当該エレベータの運転を独立運転に切り換える。独立運転においては、当該エレベータは、群管理装置２の制御から独立する。この際、独立運転スイッチ操作階記憶手段４ｄは、独立運転スイッチ３ｃが操作された階床を記憶する。
【００２５】
次に、図６を用いて、独立運転スイッチ３ｃが操作された場合の群管理システムの動作を説明する。
図６はこの発明の実施の形態１におけるエレベータの群管理システムの動作を説明するためのフローチャートである。
【００２６】
まず、ステップＳ１で保守員が独立運転スイッチ３ｃを操作すると、ステップＳ２に進む。ステップＳ２では、かご動作制御手段４ａは、乗場操作盤１の操作による行先呼びの割り当てが検出されているか否かを判断する。
【００２７】
行先呼びの割り当てが検出されていない場合は、ステップＳ３に進む。ステップＳ３では、運転モード管理手段４ｃは、エレベータを即座に独立運転へと移行させる。
【００２８】
これに対し、ステップＳ２で行先階の割り当てが検出されている場合は、ステップＳ４に進む。ステップ４では、かご動作制御手段４ａは、保守対象となっている他のエレベータの有無を確認する。保守対象となっている他のエレベータがある場合は、ステップＳ５に進む。ステップＳ５では、他のエレベータの保守作業に移る。
【００２９】
これに対し、ステップＳ４で保守対象となっている他のエレベータがない場合は、ステップＳ６に進む。ステップＳ６では、独立運転スイッチ操作階記憶手段４ｄは、独立運転スイッチ３ｃが操作された階床を記憶する。その後、ステップＳ７に進み、かご動作制御手段４ａは、禁止手段として、既に割り当てられている呼び以外の新規の呼びの割り当て及び登録を禁止する。
【００３０】
その後、ステップＳ８に進み、かご動作制御手段４ａは、エレベータを最終のかご呼びに応答させる。その後、ステップＳ９に進み、かご動作制御手段４ａは、独立運転スイッチ操作階記憶手段４ｄに記憶されている階床にエレベータを走行させる。その後、ステップＳ３に進み、運転モード管理手段４ｃは、エレベータを独立運転へ移行させる。
【００３１】
以上で説明した実施の形態１によれば、独立運転スイッチ３ｃが操作された際に、対応したエレベータに行先呼びが割り当てられていた場合は、当該エレベータは、独立運転となる前に当該行先呼びに応答する。このため、エレベータを群管理から独立させる場合においても、所望の行先階に対応した行先呼びが割り当てられたエレベータに利用者を乗車させることができる。従って、保守員が独立運転スイッチ３ｃを操作するタイミングを気にする必要もない。
【００３２】
また、独立運転スイッチ３ｃが操作された後は、操作された独立運転スイッチ３ｃに対応したエレベータに対する呼びの割り当て及び登録が禁止される。このため、保守員の待ち時間を最短にすることができる。すなわち、保守員の作業効率の低下を最小限に抑えることができる。
【００３３】
また、エレベータは、最終のかご呼びに応答した後、独立運転スイッチ操作階記憶手段４ｄに記憶されている階床に走行する。このため、保守員は、保守を開始したい階床からエレベータの独立運転を開始することができる。
【００３４】
なお、独立運転スイッチ３ｃの配置をかご３に限定する必要はない。例えば、各エレベータに対応した独立運転スイッチ３ｃを各乗場に配置してもよい。
【符号の説明】
【００３５】
１  乗場操作盤
１ａ  行先階登録釦
１ｂ  行先釦検出手段
１ｃ  割当号機表示手段
１ｄ  ディスプレイ
２  群管理装置
２ａ  割当号機決定手段
３  かご
３ａ  かご内操作盤
３ｂ  行先釦
３ｃ  独立運転スイッチ
３ｄ  行先釦検出手段
３ｅ  独立運転スイッチ検出手段
３ｆ  引戸
４  制御装置
４ａ  かご動作制御手段
４ｂ  行先階登録手段
４ｃ  運転モード管理手段
４ｄ  独立運転スイッチ操作階記憶手段
【図１】
0005879781.tif 000002
【図２】
0005879781.tif 000003
【図３】
0005879781.tif 000004
【図４】
0005879781.tif 000005
【図５】
0005879781.tif 000006
【図６】
0005879781.tif 000007